(57)【特許請求の範囲】
【請求項１】
ネットワークを介してウェブブラウザを実装した操作端末からアクセスする
複数の電気機器等を監視制御対象とした機器監視制御システムにおいて，
該機器監視制御システムは，
前記操作端末とネットワークを介して情報を授受する通信手段と，
前記通信手段から得た操作端末からネットワークを介して選択した電気機器の動作状態を確認及び該電気機器の運転状態を変更する信号に基づき所定の演算動作を行う演算手段と，
該演算手段から出力された信号に基づいて，
複数の電気機器に電源を供給する電路に介在し電気機器への電源を供給若しくは遮断するスイッチ部及び
複数の電気機器が接続されて該電気機器との間で動作制御信号を送受信し電気機器の電源を入切制御するＨＡ端子部と，
前記演算手段に接続されて電気機器の動作状態を掌握する動作状態確認部並びに
電路に流れる電流を計測監視する電流監視手段と，
を少なくとも備え，
前記演算手段は，
前記電気機器を入切制御する仮の制御順番を予め記憶部に設定する一方，
該記憶部における電気機器の消費電流データの有無を確認し，
該消費電流データが無い場合には，電気機器を入切動作させることにより電路に流れる電流の変化量を計測し消費電流データとして取得し記憶部に記憶する仮の制御順番を並べ替える機能と，
予め設定した所定の設定電流値と前記電流監視手段により計測された電流値との割合の大きさに応じて報知部に段階的に報知させる信号を送信する機能と，
前記電流監視手段により計測された電流値が前記設定電流値を超えた場合には予め定められた機器について前記消費電流データが大きな順番に，
所定の電気機器の運転を停止させるとともに停止させたことを前記報知部から報知する機能と，
電路に流れる電流が予め定められた復帰電流を下回った場合には，
前記消費電流データが小さな順番に， 所定の電気機器の運転を開始させるとともに開始したことを前記報知部から報知する機能と
を備えたことを特徴とする機器監視制御システム。
【請求項２】
前記機器監視制御システムにおいて，
前記演算手段は，
所定の電気機器の運転開始に伴う電路に流れる電流の変化量と，
運転停止に伴う電路に流れる電流の変化量とを電流変化量データとして取得するとともに，該電流変化量データを記憶する記憶手段を更に備え，
電路に流れる電流が小さくなるように所定の電気機器の運転状態を変更する場合には，
運転停止に伴う電路に流れる電流の変化量が大きな所定の電気機器から順番に運転を停止させるとともに停止させたことを報知させる機能と，
電路に流れる電流が大きくなるように所定の電気機器の運転状態を変更する場合には，
運転開始に伴う電路に流れる電流の変化量が小さな所定の電気機器から順番に運転を開始させるとともに開始したことを報知させる機能と
を備えたことを特徴とする請求項１記載の機器監視制御システム。
【発明の詳細な説明】
【技術分野】
【０００１】
本件の発明は，ネットワークを介して電気機器の状態監視や運転の変更が行え，電流の使用状態に応じて運転の制御を行うデマンドコントロール機能を備えた機器監視制御システムに関する。
【背景技術】
【０００２】
従来，家電機器を制御するネットワークシステムとしては，特許文献１に示されたように，家電機器制御ネットワークシステムにおいて，新たな家電機器の導入毎のコントローラの動作状態データの取得方法を変更する必要のない技術の開発，また，各家電機器相互の連携動作の制御に際しては，アドレス等の設定が容易かつ消費電力が少なくて済む技術の開発，また，結構消費電力の大きいコントローラなしに各家電機器の連携制御をなしうる技術の開発，を課題の解決とし，アプリケーションソフトと下位通信ソフトとを結ぶ通信ミドルウェアにて通信定義オブジェクトを定め，これにより各機器の連携しての動作，制御を行わしめ得ることに着目してなされたものが公知である。図９に特許文献１の第４図を示した。
【特許文献１】特開２００１−８６５７２号
【発明の開示】
【発明が解決しようとする課題】
【０００３】
しかしながら，特許文献１における家電機器制御システムにおいては，使用する家電機器自体にネットワークを介してコントローラと通信を行うための通信機能を備えておく必要がある。このため，個々の家電機器に通信機能を付加するコストが上乗せとなり，ネットワークシステムを構築するにあたりコストがかかるという問題があった。もしくは，当該ネットワークシステムの通信仕様に合った通信機能を最初から備えた家電機器を導入する必要があり，同じくネットワークシステムの構築にあたり利用者にとってコストが増大するという問題があった。
【０００４】
また，個々の家電機器の動作状態を監視するためには，監視を行う手段を該個々の家電機器全てに動作状態を監視する手段を備える必要が生じ，前記通信機能の搭載と合わせてネットワークシステムの構築にあたり，コストが増大するとともに，高度な処理は行えるがシステムが複雑になり，利用者側で高い管理能力が必要となり，使用方法が複雑になるおそれがあるという課題があった。
【０００５】
また，ネットワークシステムのコントローラとして，エアコン，テレビジョン受像機，ビデオデッキ等の共通のリモートコントローラ（ユーザーの遠隔操縦装置）にホームネットワークシステムのための集中制御装置を組み込んだものが示されているが，宅内からだけではなく，携帯電話や外出先のコンピュータから手軽に家電機器制御ネットワークシステムの監視や制御処理を行いたいという要望がなされている。また，環境保護に関する意識が重要視されるなか，手軽に省エネ意識を得られ，省エネを実践できるシステムが望まれている。
【０００６】
そこで本件の発明は，このような課題や実情に鑑みてなされたものであり，制御対象となる機器側には通信機能や監視を行う手段といった後付手段が不要で，コストの増大を抑えることができるとともに，機器監視制御システムを構築する際に複雑化せず容易に管理が可能で，さらにはインターネットを経由して当該システムにアクセスを行ったり，システムからの情報の取得を行い，電気を使いすぎた場合には所定の電気機器について効率よく停止するとともに，電気が使える状態になった場合には所定の電気機器について効率よく開始し，監視制御ならびに省エネ意識の高揚を行うことができる利便性の高い機器監視制御システムを提供することを目的としている。
【課題を解決するための手段】
【０００７】
上記目的を達成するために， 請求項１ の発明では， ネットワークを介してウェブブラウザを実装した操作端末からアクセスする複数の電気機器等を監視制御対象とした機器監視制御システムにおいて，該機器監視制御システムは，前記操作端末とネットワークを介して情報を授受する通信手段と，前記通信手段から得た操作端末からネットワークを介して選択した電気機器の動作状態を確認及び該電気機器の運転状態を変更する信号に基づき所定の演算動作を行う演算手段と，該演算手段から出力された信号に基づいて，複数の電気機器に電源を供給する電路に介在し電気機器への電源を供給若しくは遮断するスイッチ部及び複数の電気機器が接続されて該電気機器との間で動作制御信号を送受信し電気機器の電源を入切制御するＨＡ端子部と，
前記演算手段に接続されて電気機器の動作状態を掌握する動作状態確認部並びに電路に流れる電流を計測監視する電流監視手段と，を少なくとも備え，前記演算手段は，前記電気機器を入切制御する仮の制御順番を予め記憶部に設定する一方，該記憶部における電気機器の消費電流データの有無を確認し，該消費電流データが無い場合には，電気機器を入切動作させることにより電路に流れる電流の変化量を計測し消費電流データとして記憶部に記憶する機能と，予め設定した所定の設定電流値と前記電流監視手段により計測された電流値との割合の大きさに応じて報知部に段階的に報知させる信号を送信する機能と，前記電流監視手段により計測された電流値が前記設定電流値を超えた場合には予め定められた機器について前記消費電流データが大きな順番に，
所定の電気機器の運転を停止させるとともに停止させたことを前記報知部から報知する機能と，電路に流れる電流が予め定められた復帰電流を下回った場合には，
前記消費電流データが小さな順番に， 所定の電気機器の運転を開始させるとともに開始したことを前記報知部から報知する機能とを備えたことを特徴として機器監視制御システムを構成している。
【０００８】
本発明によれば，電気機器の監視や動作制御を，システム側に設けられたスイッチ部若しくは送受信部から行い，またデマンドコントロールを行う場合には，予め定められた機器について消費電流が大きな順番に所定の電気機器の運転を停止させ，予め定められた復帰電流を下回った場合には，消費電流が小さな順番に所定の電気機器の運転を開始させることにより効率よく制御が行え，電源供給を停止または開始させた場合には，そのことを報告するため利用者は的確に制御状態を掌握できるとともに，インターネットに接続して用いる通信端末から簡易にシステムからの情報を取得できるため利用場所が限定されることがなく，省エネ意識の高揚が行え，利便性が高い機器監視制御システムを提供することができる。
【０００９】
また， 請求項２ の発明では，前記機器監視制御システムにおいて，前記演算手段は，所定の電気機器の運転開始に伴う電路に流れる電流の変化量と，
運転停止に伴う電路に流れる電流の変化量とを電流変化量データとして取得するとともに，該電流変化量データを記憶する記憶手段を更に備え，電路に流れる電流が小さくなるように所定の電気機器の運転状態を変更する場合には，運転停止に伴う電路に流れる電流の変化量が大きな所定の電気機器から順番に運転を停止させるとともに停止させたことを報知させる機能と，電路に流れる電流が大きくなるように所定の電気機器の運転状態を変更する場合には，運転開始に伴う電路に流れる電流の変化量が小さな所定の電気機器から順番に運転を開始させるとともに開始したことを報知させる機能とを備えたことを特徴として機器監視制御システムを構成している。
【００１０】
これにより，請求項１の利便性に加えて，電気機器の運転停止もしくは運転開始に伴う電流の大きさを考慮したうえで，制御に反映できるため，より効率的にデマンドコントロールが行えるようになるという効果がある。
【発明の効果】
【００１１】
本発明によれば，制御対象となる機器側には通信機能や監視を行う手段といった後付手段が不要で，コストの増大を抑えることができるとともに，機器監視制御システムを構築する際に複雑化せず容易に管理が可能で，さらにはインターネットを経由して当該システムにアクセスを行ったり，システムからの情報の取得を行い，電気を使いすぎた場合には所定の電気機器について効率よく停止するとともに，電気が使える状態になった場合には所定の電気機器について効率よく開始し，監視制御ならびに省エネ意識の高揚を行うことができる利便性の高い機器監視制御システムを提供することが可能となる。
【発明を実施するための最良の形態】
【００１２】
以下に本件発明の実施の形態に係る機器監視制御システムについて，図面を参照しつつ詳細に説明する。
【００１３】
図１は，本件発明の機器監視制御システムと，該機器監視制御システムから電子メールが送信される，もしくは機器監視制御システムにアクセスを行うクライアント端末とのネットワーク接続概略図を示したものである。
【００１４】
１は機器監視制御システム，２は該機器監視制御システム１が接続されるネットワーク，３はネットワーク２と接続されて機器監視制御システム１と通信が可能な操作端末（クライアント端末という）（１〜ｎ）である。本実施の形態では，ネットワーク２はインターネット網を想定しており，クライアント端末３としては，ウェブブラウザを実装したインターネット網に接続可能なコンピュータや携帯電話やＰＤＡ（パーソナルデジタルアシスタント：携帯情報端末）などを用いる。クライアント端末３はインターネット網を介して機器監視制御システム１にアクセスし該機器監視制御システム１の所定の情報を閲覧したり所望の操作を行う。
【００１５】
また，機器監視制御システムには報知部が設けられており，クライアント端末を用いなくとも，機器監視制御システムの周辺において，該機器監視制御システムが監視する所定の情報を報知部により掌握することを可能としている。
【００１６】
図２には，機器監視制御システム１のブロック構造図を示している。１０１は通信手段で，ネットワーク２を接続するための端子部を含んでいる。本実施の形態では，一般的な規格IEEE８０２．３のイーサネット(TM)（Ethernet(TM)）規格を用いて通信を行うため，コネクタ形状がRＪ４５に合った端子を用いている。なお，ネットワーク端子に直接ケーブルを接続してネットワーク接続を行う方法以外に，ネットワーク接続端子部分を無線化して，無線でネットワークへの接続を行うようにしてもよい。また，イーサネット規格以外に，例えばFDDIやToken Ring方式を用いて通信を行ってもよい。機器監視制御システム1は，まずＬＡＮに接続され，ＬＡＮの一部にインターネット網に接続するためのインターネット接続手段となるモデムやルーターが設けられ，インターネット側との通信を行う。
【００１７】
また，ＬＡＮ経由ではなく，インターネットに直接接続する形態として，インターネット接続手段として通信手段１０１にモデムを接続し，グローバルＩＰアドレスを割り当てて使用してもよい。
【００１８】
１０２は演算手段である。演算手段１０２は後述する各種ソフトウエアの実行処理や，接続される機器からの入力信号，出力信号を入出力制御するためのもので，中央演算処理プロセッサ（ＣＰＵ）を用いて構成している。１０３は前記演算手段１０２と接続され，該演算手段１０２からの要求によりデータの書き込みや読み込みを行われるメモリからなる記憶手段である。記憶手段１０３には各種ソフトウエアや電気機器の消費電流データが記憶され，随時ソフトウエアやデータの読み出しや，データの書き込みが行われる。
【００１９】
次に電気機器を接続する端子部について説明を行う。
【００２０】
１０４はＨＡ（ホームオートメーション）機器を接続し制御するためのＨＡ端子（日本電機工業会により定められたJEM-A端子）である。
【００２１】
１０５は各種電気機器，特にセンサ機器を接続しセンサ入力を受信するためのアナログ信号入力端子，１０５’は同じくデジタル信号入力端子である。センサはガスセンサ，熱・煙センサ，ＯＮ−ＯＦＦ信号を発生する機械的なスイッチまたは電子的スイッチなどのセンサ出力がHighもしくはLow信号となるセンサを用い，該センサやスイッチからの出力信号を得る。また，サーミスタや変流器などセンサ出力がアナログ的に増減するセンサを入力することも可能としている。
【００２２】
１０７は直流もしくは交流で動作する電気機械器具及び部品等と接続される接続端子である。該接続端子１０７はリレー１０６を介して電源入力部１０９と接続されている。リレー１０６の制御信号入力部は演算手段１０２と接続され，該演算手段１０２からの制御信号を受けて駆動し，電源入力部１０９と接続端子１０７とを電気的に入切することで，リレー１０６の２次側即ち該接続端子１０７に接続された電気機械器具や部品に電源を供給する。
【００２３】
また，リレー１０６の二次側において，接続されている電気機器が動作しているかどうかを，動作状態確認部１０８により行っている。これは，リレー１０６の二次側端子間の電圧値が電源入力部１０９の印加電圧と等しいか若しくはゼロ電位となっているかを測定することにより判断している。具体的にはリレー１０６の二次側端子間に分圧抵抗を設けて，該分圧抵抗の両端の電位を測定することにより行っている。即ち，電気機器に電源が供給され動作している場合は前記二次側端子間の電圧値はゼロ電位となり，電気機器に電源が供給されず停止している場合は前記二次側端子間の電圧値は電源入力部１０９の印加電圧と等しくなる。なお，動作状態確認部１０８の出力は演算手段１０２に入力される。
【００２４】
HA端子に接続されている機器については，それらの動作状態の判断は，JEM-A規格に定められた機器の動作／停止を行うための制御信号と，機器の動作状態を示すフィードバック信号を用いて動作状態の判断を行っている。
【００２５】
これらのＨＡ端子１０４，接点入力端子１０５，また，接続端子１０７においてはリレー１０６に接続された動作状態確認部を介して演算手段１０２に接続されており，演算手段１０２は，該端子を経由して接続された機器の情報データを得るとともに，機器の制御操作を行う。なお，リレー１０６の代替手段として，演算手段１０２から制御信号を受けて駆動するような，例えばＳＳＲを用いて構成してもよい。
【００２６】
１０９は電源入力部である。これは機器監視制御システム１に電源を供給するための入力であり，交流電源もしくは直流電源に接続して用いる。該電源入力部１０９は，交流−直流変換手段もしくは直流−直流変換手段により本機器監視制御システム１に適した直流電源を生成する端末内直流電源１０９’に接続されており，機器監視制御システム１を構成する演算手段１０２や記憶手段１０３等へ駆動電源を供給する。なお，電源入力部１０９は端末内直流電源１０９’とリレー１０６に接続されて用いるため，例えばリレー１０６の駆動にて動作される接続機器の必要電圧が，該端末内直流電源１０９’の許容電圧以上の場合など，即ち入力電源を２種類接続したい場合にも対応できるよう，電源入力部１０９の入力端子を２系統設けて配設してもよい。この場合，接続端子１０７用の電源はリレー１０６に直接供給されるよう，端末内直流電源１０９’用の電源経路とは分けて構成しておく。
【００２７】
１１０は電流監視部であり，変流器（CT）により構成されている。該変流器１１０の出力は，該変流器１１０が接続された電流検出部１１１により増幅され，さらに演算手段１０２に入力される。変流器１１０は電流を測定したい電路の電線を貫通させるよう装着して用いる。また，変流器は分割型でもよいし非分割型でもよい。なお電流検出部１１１はオペアンプを用いて変流器からの出力信号を増幅して演算手段に入力できるよう構成している。
【００２８】
１１２は無線通信部である。該無線通信部１１２は後述する報知部１１３と無線通信を行い，該報知部１１３に対して機器監視制御システム１の所定の情報を出力し報知部にて該所定の情報を表示及び発報を周囲に対して行うことが可能である。
【００２９】
また，該無線通信部１１２は，ＩＥＥＥにより定められたＩＥＥＥ８０２．１５．４を物理インターフェースに用いた短距離無線通信規格に基づいた通信手段を設けており，ＺｉｇＢｅｅ規格に対応した通信を無線センサー群と行う。これにより，種々の無線センサーが発する所定の情報を受信できるとともに，特定のセンサーに対して情報を発信して決められた処理を伝達することができ，双方向通信を行うことができる。例えばセンサとして人感センサを用いて制御対象機器の付近に備えておくことにより，該制御対象機器の付近に人が居るかどうかの情報を取得し，人が居るまたは居ないという２つの状況に応じて制御方法を変更するように動作を行ってもよい。
【００３０】
監視電流レベル設定手段１１４は監視する電流の大きさを設定するもので，ロータリースイッチを用いており，複数の監視電流レベルを手動により択一的に設定できるよう構成され，選択された監視電流レベルの情報は演算手段１０２に入力される。監視電流レベルは，２０Ａ，３０Ａ，４０Ａ，５０Ａ，６０Ａの設定が行えるようになっている。機器監視制御システム１は，この監視電流レベル設定手段１１４で定めた監視電流レベルを基準として，監視する電路における通電電流の状態を監視する。なお，監視電流レベルは，この他の値の設定が行えるようにしたり，無段階に設定できるように設けてもよい。また，通常は，電路に設けられる分電盤に備えられた主幹ブレーカまたは電流制限器（リミッタ）の定格電流を基準に定めるとよい。
【００３１】
演算手段１０２は，電流監視部１１０から得られる電流値に対応する信号を取り出し，監視電流レベル設定手段１１４により定められた監視電流レベルに対する通電電流の状態を演算求出する。演算の際に使用するプログラムは記憶部１０３に予め記憶されており，演算時に読み出して演算処理を行う。
【００３２】
ここで，監視電流レベルに対する通電電流の状態とは，監視電流レベルに対する現在の通電電流の割合を百分率換算したもの，以降簡単のため該監視電流レベルに対する現在の通電方法の割合を百分率換算したものを，単に割合という。例えば，監視電流レベルが２０Ａで，通電電流が１２Ａであった場合には，監視電流レベルに対する現在の通電電流の割合は６０％となる。監視電流レベルが２０Ａで，通電電流が２２Ａであった場合には，監視電流レベルに対する現在の通電電流の割合は１１０％となる。
【００３３】
また，電気機器の消費電流は，電気機器がリレー１０６やＨＡ１０５により制御された場合の電路に流れる電流の変化を基にして定められる。例えば，監視電流の値に対する電路に流れる電流の大きさの割合が１２０％（７２Ａ）であるときに，電気機器を制御することにより電路に流れる電流が６０Ａになった場合には演算手段１０２により該電気機器の消費電流が７２Ａ−６０Ａ＝１２Ａと演算され，記憶手段１０３に記憶される。図１０２に，記憶手段１０３に記憶される，電気機器と消費電流，ならびに制御を行う順番との対応データの例を示した。
【００３４】
次に報知部１１３について説明を行う。報知部１１３は機器監視制御システム本体の周辺に配置され本体を無線通信を行うことにより，所定の情報の表示や音または音声にて報知を行うものである。
【００３５】
図３は機器監視制御システム１における報知部１１３のブロック図で，無線受信部１１３１と信号処理部１１３２と表示部１１３３と警報発生部１１３４と電源プラグ部１１３５とコンセント部１１３６と伝導体１１３７と電源部１１３８と無線受信部１１３１に接続されるアンテナ部１１３９とを有して構成されている。報知部１１３への電源供給は通常の電源コンセントから行われる。
【００３６】
図４は機器監視制御システム１を住戸内に適用した一例を示している。住戸内においてインターネット網に接続する場合には，有線，無線など種々の通信媒体が用いられ，またインターネットサービスプロバイダ（ＩＳＰという）への接続方式もＰＰＰｏＥ，ＰＰＰｏＡ，ＩＰｏＡ，ＤＨＣＰ等，種々の方式があるが，図４には昨今よく用いられる接続形態を示している。まず，ネットワークに接続された経路について説明を行うと，住戸内においては，制御機能付情報端末１とルータ５が，ＬＡＮ（ローカルエリアネットワーク）で接続され，ルータ５とモデム４が通信線で接続されている。ここで，モデム４はＩＳＰへ接続するための接続機器であり，ＰＰＰｏＥ，ＰＰＰｏＡ，ＩＰｏＡ，ＤＨＣＰいずれにおいても使用される。ルータ５は住戸内において複数のネットワーク機器からインターネット網へアクセスすることを可能とするもので，複数のネットワーク機器を接続することができるようにＨＵＢ（ハブ）を設けている。また，ルータ５とモデム４が一体のものを用いてもよい。またルータにはネットワーク接続が可能なカメラ６が接続されており，該カメラ６には人間などの動きを感知して出力信号を出力する人感センサ７が接続されている。
【００３７】
モデムはＩＳＰ網を介してネットワーク２（インターネット網）に接続されており，機器監視制御システム１は，住戸外においてインターネット網に接続可能なクライアント端末３（コンピュータや携帯電話など）から，接続することが可能である。
【００３８】
被制御機器となる電気機器８と，信号入力機器となるセンサ９は，先に説明を行ったＨＡ機器や各種センサ，各種電気機器を表している。制御機能付情報端末１をルーター５に接続するように構成しているために，ユーザー側における既存のインターネット接続環境において容易に機器監視制御システム１を設置導入することが可能である。
【００３９】
また，電流監視部１１０が住戸内の電力分電盤内に設けられており，電路に流れる電流の大きさに応じた出力を常に電流検出部１１１に出力している。
【００４０】
次に，クライアント端末３から，ネットワーク（インターネット網）を介して機器監視制御システム１にアクセスし，接続された電気機器等の制御を行う場合の流れについて説明する。
【００４１】
機器監視制御システム１の記憶手段１０３には，クライアント端末からの操作要求を受付けるウェブサーバーと，ネットワークカメラ６から出力されるデータファイルを受信し記憶手段に書き込み記憶するＦＴＰサーバー（ファイルトランスファープロトコルサーバー）と，所定のメールアドレスに向けてメールを送信するメール送信プログラムと，該ウェブサーバーの要求によりＨＴＭＬデータを生成するプログラムと，接続されている機器の状態データと，ユーザーの設定情報データとが記憶されている。
【００４２】
ここで，機器監視制御システム１へアクセスする方法を示すＵＲＬ（ユニフォームリソースロケーター）として，http://www.example.jpを用いているとする。なお，機器監視制御システム１は，ＵＲＬに使用されるドメイン名とＩＳＰから割り当てられたＩＰアドレスとを動的に対応付けるようＩＥＴＦによってＲＦＣ２１３６として規格化されているＤＮＳ  ＵＰＤＡＴＥを用いてインターネット網からのアクセスを行うよう構成されている。なお，グローバルIPアドレスが固定のもので，URLと静的に対応付けられている通常のDNSを用いる場合でもなんら構わない。
【００４３】
図５は，機器の操作を表したフローチャートである。クライアント端末３に搭載されたウェブブラウザによって本制御機能付情報端末１のウェブサーバーのＵＲＬにアクセスを行うと（ステップＳ１），ウェブサーバーは所定の演算処理の後でＨＴＴＰセッションを確立させ，記憶手段に記憶されたプログラムにより，現在の接続された機器の状態データを元に操作画面データを生成し，アクセス元のクライアント端末３に操作画面データを送信する（ステップＳ１１）。
【００４４】
該操作画面データを受信したクライアント端末３のウェブブラウザは操作画面を表示し，ユーザーは操作機器の選択を行い，希望する操作内容を選択して機器操作データをウェブサーバーに向けて送信する（ステップＳ２）。
【００４５】
該機器操作データを受信したウェブサーバーは，該データから操作対象機器及び操作内容を抽出処理し，操作対象機器及び操作内容の認識を行う（ステップＳ１２）。そして演算手段により対象となる機器の状態データの把握処理を行う（ステップＳ１３）。先の操作内容と，前記状態データが適当である場合，即ち操作内容が機器をＯＮする内容で，制御対象機器の状態がＯＦＦである場合には該制御対象機器に対して操作信号を出力する（ステップＳ１４）。制御対象機器の状態変化（ＯＦＦからＯＮ）が完了すると，ウェブサーバーはプログラムにより操作結果画面データを生成し，該操作結果画面データをクライアント端末３に向けて送信する（ステップＳ１５）。
【００４６】
操作結果画面データを受信したクライアント端末３のウェブブラウザは，操作結果画面を表示し，ユーザーは操作の結果の確認を行う（ステップＳ３）。
【００４７】
図６はデータ閲覧の流れを示したフローチャートである。ここでネットワークカメラ６は図４で説明したネットワークに接続可能なカメラである。ネットワークカメラ６に接続された人感センサ７が人間等を感知し出力した出力信号を受信すると（ステップＳ３１ａ），カメラはそのときの映像を撮影し（ステップＳ３２ａ），映像データファイルを生成し，予め定められた制御機能付情報端末１の記憶手段に記憶されたＦＴＰサーバーに向けて該データファイルをする（ステップＳ３３ａ）。
【００４８】
機器監視制御システム１のＦＴＰサーバーは該データファイルを受信し（ステップＳ２１ａ），記憶手段１０３にデータを書き込み記憶する（ステップＳ２２ａ）。
【００４９】
次に，データ表示を行うためにクライアント端末３に搭載されたウェブブラウザによって機器監視制御システム１のウェブサーバーのＵＲＬにアクセスを行うと（ステップＳ１ａ），ウェブサーバーはプログラムにより記憶手段に記憶されたデータファイルをサーチするとともにサーチの結果得られたデータのリストを示したリスト表示画面データを生成し，クライアント端末３に向けて送信する（ステップＳ１１ａ）。
【００５０】
該リスト表示画面データを受信したクライアント端末３のウェブブラウザはリスト表示画面を表示し，ユーザーにより表示させたいデータが選択されると，該データの選択要求データをウェブサーバーへ送信する（ステップＳ２ａ）。
【００５１】
ウェブサーバーは該選択要求データを受信すると（ステップＳ１２ａ），対象となるデータファイルを記憶手段から読み出し（ステップＳ１３ａ），該対象となるデータファイルをクライアント端末３に向けて送信する（ステップＳ１４ａ）。該データファイルを受信したクライアント端末３のウェブブラウザは，選択されたデータファイルを表示し，ユーザーは所望した映像データを閲覧することができる（ステップＳ３ａ）。プログラムにより現在の画像のみならず，記憶手段に記憶された過去のデータ，例えば数時間前，数日前の機器の状態や，カメラの映像データなどを読み出し表示もしくは検索して表示するようにしておけばユーザーはより便利に参照することが可能である。
【００５２】
また，センサ７に焦電センサを用い，センサ９に人感センサを用いた場合には，人感センサが反応したときには，電気機器８（例えばテレビジョン，照明など）を駆動し，明るさが変化したことによりカメラに接続された焦電センサ７が駆動することによりカメラ６が周囲を撮影し，カメラ６により得られた画像を機器監視制御システム１に転送し，記憶手段に記憶するとともに，機器監視制御システム１は所定のメールアドレスに宛てて電子メールを送信し，電子メールを受け取ったクライアント端末は住戸内の様子をメールを介して掌握することが可能である。
【００５３】
図７は機器監視制御システム１に接続された機器の状態変化があった場合に所定の電気機器を駆動させて，所定のメールアドレスに向けてメールを送信する流れを示したフローチャートである。接続機器として温度センサを用い，所定の電気機器としてリレー１０６に接続された換気扇及びHA端子１０４に接続されたエアコンを用いた場合について説明を行う。
【００５４】
接続された温度センサが動作した場合（ステップＳ２１ｂ），機器監視制御システム１の演算手段１０２は動作信号を受信し（ステップＳ１１ｂ），記憶手段１０３に記憶された所定のプログラムを読み込み（ステップＳ１１１ｂ），プログラムに基づいて予め定められた電気機器を駆動し（ステップＳ１１２ｂ），記憶手段１０３に記憶されたメール送信プログラムを読み込み起動する（ステップＳ１２ｂ）。
【００５５】
予め定められた電気機器の駆動は演算手段１０２からHA端子に向けて制御信号を送信したり，またリレー１０６に制御信号を送って二次側に接続された電気機器に対して電源の供給を行うことで行う。
【００５６】
演算手段１０２は予め設定されたメールアドレスに向けて，記憶手段にユーザー設定データとして記憶してある所定のメール本文，例えば「温度センサが動作しました。換気扇を回してエアコンを運転状態にしました。ＵＲＬはhttp://www.example.net/sensor/condです。」というメール本文を付加したうえで送信する（ステップＳ１３ｂ）。
【００５７】
クライアント端末３が該メールを受信した場合（ステップＳ１ｂ），ユーザーはメールを確認し（ステップＳ２ｂ），所定のＵＲＬにアクセスを行う（ステップＳ３ｂ）。ウェブサーバーが該クライアント端末３からのアクセスを受信すると，ウェブサーバーはプログラムを読み出し，該当するデータファイルや動作した機器のデータを収集し，動作した機器の確認画面データを生成するとともにクライアント端末３に向けて確認画面データを送信する（ステップＳ１４ｂ）。
【００５８】
クライアント端末３は該動作した機器の確認画面データを受信すると，ウェブブラウザは画像及び動作した機器の確認画面を表示し（ステップＳ４ｂ），ユーザーは動作した機器を確認することができる。このように，メールアドレスを利用者の利用するメールアドレスに設定しておけば，接続された機器の動作状態が変化した場合には，メールを送信することにより，変化したことを自発的に知らせるためより使い勝手の良い制御機能付情報端末を提供することが可能である。
【００５９】
この他にも，電気機器として照明を用いて，外部接点入力端子を有するネットワークカメラ６に機器監視制御システム１の演算手段１０２から出力される接点出力を入力することにより，センサが駆動した場合に照明を点灯したうえでカメラで周囲を撮影し撮影したデータを電子メールに添付ファイルとして添付したり，電子メールに記載されたURLにリンクさせることにより，センサが動作したときの状態をユーザーが視覚的に認知することが可能となる。また，記憶手段１０３に画像データを蓄積していくことで過去に遡って履歴を閲覧することができるなどユーザーの想定する使用に合わせて種々組み合わせて実現することができる。
【００６０】
なお，本フローチャートは接点入力端子１０５への接続機器としてセンサを用いて説明を行ったが，その他にも，接続機器として無電圧接点装置１０５３を使用した場合には，例えば該無電圧接点装置としてａ接点やｂ接点などにより回路を開状態もしくは閉状態にせしめる手元開閉スイッチなどを用いると，該手元開閉スイッチを入切した場合には，その接点出力が演算手段１０２で受信され，該演算手段１０２は，記憶手段１０３に記憶されたメール送信プログラムを起動し，所定のメールアドレスに向けてメールの送信を行うことが可能なように構成できる。すなわち，センサーなどによる自動的なメール送信に加え，手動入力においてもメール送信を行うことができ，メール送信を所望する場合には意図的にメールの送信を行うことが可能である。
【００６１】
次に電流監視について動作の説明を行う。制御対象となる電気機器が４台（Ａ８１，Ｂ８２，Ｃ８３，Ｄ８４）あるとして説明を行う。
【００６２】
まず，各電気機器の消費電流を収集する段階について図８を用いて説明する。
【００６３】
機器制御装置システム１において監視電流レベル設定手段１１４を操作して，監視したい電流レベルを設定する（ステップＳ００１）。
次に，それぞれの電気機器について，仮の制御順番が演算手段により定められる（ステップ００２）。図１０３には，仮の制御順番が定められた記憶データを示しており，制御順番が早い順から，電気機器Ａ８１，電気機器Ｂ８２，電気機器Ｃ８３，電気機器Ｄ８４と仮に決められている。
【００６４】
仮の制御順番が決められると，次に，各々の電気機器の消費電流の情報を収集していく。それぞれの電気機器の操作を行い，電路に流れる電流の変化を計測し，記憶手段に記憶していく。
【００６５】
演算手段１０２は，まず電気機器Ａ８１に関して記憶手段に消費電流データがあるかどうかを調べ（ステップＳ００３），ない場合には電気機器Ａ８１の運転制御を行い（ステップＳ００３１），電路に流れる電流の変化量を計測し（ステップＳ００３２），該電流の変化量を記憶手段に消費電流データとして記憶する（ステップＳ００３３）。記憶手段に既に消費電流データがある場合には次のステップ（ステップＳ００４）に進む。
【００６６】
次に，演算手段１０２は，電気機器Ｂ８２に関して記憶手段に消費電流データがあるかどうかを調べ（ステップＳ００４），ない場合には電気機器Ｂ８２の運転制御を行い（ステップＳ００４１），電路に流れる電流の変化量を計測し（ステップＳ００４２），該電流の変化量を記憶手段に消費電流データとして記憶する（ステップＳ００４３）。記憶手段に既に消費電流データがある場合には次のステップ（ステップＳ００５）に進む。
【００６７】
次に，演算手段１０２は，電気機器Ｃ８３に関して記憶手段に消費電流データがあるかどうかを調べ（ステップＳ００５），ない場合には電気機器Ｃ８３の運転制御を行い（ステップＳ００５１），電路に流れる電流の変化量を計測し（ステップＳ００５２），該電流の変化量を記憶手段に消費電流データとして記憶する（ステップＳ００５３）。記憶手段に既に消費電流データがある場合には次のステップ（ステップＳ００６）に進む。
【００６８】
次に，演算手段１０２は，電気機器Ｄ８４に関して記憶手段に消費電流データがあるかどうかを調べ（ステップＳ００６），ない場合には電気機器Ｄ８４の運転制御を行い（ステップＳ００６１），電路に流れる電流の変化量を計測し（ステップＳ００６２），該電流の変化量を記憶手段に消費電流データとして記憶する（ステップＳ００６３）。記憶手段に既に消費電流データがある場合には次のステップ（ステップＳ００７）に進む。
図１０４には，ステップＳ００３からステップＳ００６により得られた，それぞれの電気機器に対する消費電流データが記憶された記憶データ例を示している。
【００６９】
そして，電気機器Ａ８１〜Ｄ８４全ての消費電流データがそろった場合，消費電流データの大きさに基づいて制御順番を並び替える。即ち，図１０５に示したように，制御順番の早い順から，電気機器Ｄ８４（１２Ａ），電気機器Ａ８１（１０Ａ），電気機器Ｃ８３（６Ａ），電気機器Ｂ８２（３Ａ）と並び替えられる。
【００７０】
これにより，制御する電気機器の優先順位が固定されている場合と比較して，現実の使用状態に即した優先順位で電気機器を制御することが可能となり，全停電の防止をより効率的に行うことができるようになる。また，利用者の側は，機器監視制御システム１が現実の利用状態に沿うように制御する電気機器の優先順位を設定するため，制御に関しては特に気にすることなく設定を任せておけるので利便性が高く，また，ある電気機器を制御することにより電流の使用割合が増えたり減ったりすることが分かり，省エネ意識の高揚につながる。
【００７１】
また，電気機器の消費電流データを，該電気機器の運転開始に伴う電路に流れる電流の変化量と，運転停止に伴う電路に流れる電流の変化量とに分けて記憶するように設けてもよい。即ち，前記ステップＳ００３，Ｓ００４，Ｓ００５，Ｓ００６において，消費電流を調べる場合に，電気機器の運転を開始する制御と，運転を停止する制御の両方を行い，運転の開始に伴う電路における電流の変化量と，運転の停止に伴う電流の変化量とを計測する。
【００７２】
これは，電気機器の運転開始時における消費電流と，運転停止時における消費電流が異なる場合があることを考慮したもので，例えば，電気機器として床暖房機器を用いる場合には，消費電流は運転開始時ならびに定常状態通してほぼ一定であるが，電気機器としてエアコンなどを使用する場合，運転開始時には設定温度に早く近づけるために多く電流を消費し，定常状態になると運転開始時に比べて消費電流が少なくなるといった運転を行う場合があるため，全停電を防止するために電路に流れる電流が低減するように電気機器の運転制御を行う場合には，運転停止時における消費電流がより大きい電気機器を優先して制御することにより，より少ない数の電気機器の制御で効率的に全停電を防止することを行うためである。
【００７３】
また，電路に流れる電流が増加するように電気機器の運転制御を行う場合には，運転開始時における消費電流がより小さい電気機器を優先して制御することにより，全停電のおそれがない電流の範囲でより多くの数の電気機器を使用することができ，利便性が高い制御を行うことが可能になるためである。
【００７４】
図１０６には，電気機器と，運転の開始に伴う電路における電流の変化量と，運転の停止に伴う電流の変化量，ならびに制御順番を記憶した記憶データを示している。電路に流れる電流を低減させる方向に電気機器の制御を行う場合には，制御の順番が早いほうから，
電気機器Ｄ８４（１２Ａ）
電気機器Ａ８１（１０Ａ）
電気機器Ｃ８３（  ６Ａ）
電気機器Ｂ８２（  ３Ａ）
となり，電路に流れる電流を増加させる方向に電気機器の制御を行う場合には，制御の順番が早いほうから，
電気機器Ｂ８２（  ５Ａ）
電気機器Ａ８１（１０Ａ）
電気機器Ｃ８３（１２Ａ）
電気機器Ｄ８４（１５Ａ）
となるように運転の制御を行う。
【００７５】
なお，電気機器の数が４つの場合を示したが，電気機器の数の増減に応じてステップを順次追加もしくは削除することにより任意の数の電気機器の制御が可能である。
【００７６】
また，これまで示した例では，機器監視制御システム１により電気機器Ａ８１〜Ｄ８４の優先制御順位を定めていたが，場合によっては利用者が，特定の電気機器についてはできるだけ制御を行ってほしくない，もしくは特定の電気機器であれば一番に制御を行ってほしいという場合が想定される。このため，記憶データに順番を固定する項目を設けて，特定の電気機器もしくは複数の電気機器について制御の順番を固定するように設けてもよい。
【００７７】
図１０７に制御の順番を固定する項目を設けた記憶データの例を示している。利用者は操作端末４または操作端末７から機器監視制御システム１のウェブサーバーにアクセスを行い，所定の操作画面データの提供を受けて，制御の順番を固定したい電気機器を選択するとともに，制御の順番を入力する。そして入力データをウェブサーバーに向けて送信する。ウェブサーバー側で該入力データを受信した場合，所定のプログラムにより，消費電流記憶手段１０３に記憶された記憶データを修正する。例えば操作端末からの入力データが，運転を停止する順番を電気機器Ａ８１については最後にしたいという場合には，図１０７に示したように，電気機器Ａ８１の運転停止の順番を４番目とし，固定欄にチェック（ロックがありと記憶）して，記憶データを修正するとともに，順番に固定がない残りの３つの電気機器について運転停止時の消費電流データが大きな順番にソートしなおす。即ち，電路に流れる電流を低減させる方向に電気機器の制御を行う場合は，制御の順番が早いほうから，
電気機器Ｄ８４（１２Ａ）
電気機器Ｃ８３（  ６Ａ）
電気機器Ｂ８２（  ３Ａ）
電気機器Ａ８１（１０Ａ）（順番固定）
となるように修正する。
また，運転を開始する順番を電気機器Ａ８１については一番最初にしたいという場合には，電気機器Ａ８１の運転開始の順番を１番目とし，固定欄にチェック（ロックがありと記憶）して記憶データを修正するとともに，順番に固定がない残りの３つの電気機器について運転開始時の消費電流データが小さな順番にソートしなおす。即ち，電路に流れる電流を増加させる方向に電気機器の制御を行う場合は，制御の順番が早いほうから，
電気機器Ａ８１（１０Ａ）（順番固定）
電気機器Ｃ８３（  ３Ａ）
電気機器Ｂ８２（  ５Ａ）
電気機器Ｄ８４（１５Ａ）
となるように修正する。
【００７８】
なお，電気機器の消費電流データを収集するために，設定時において演算手段によって一旦順番に電気機器の操作を行い，その前後での電路に流れる電流を計測する方法を示したが，これ以外に，仮の制御順番を定めた後に，実際に全停電のおそれがある場合に，仮の制御順番に基づいて，電気機器を制御し，該制御した電気機器の制御前後での電路に流れる電流を計測することにより，その電気機器の消費電流データを収集していく方法を用いて制御を行うように設けてもよい。この場合には，一旦順番に電気機器の操作を行う必要が無くなりステップ数が低減できるという利便性がある。
【００７９】
また，これらの記憶データは，それぞれの電気機器の運転制御が行われる度に更新される。例えば，電気機器Ａ８１の運転制御が行われた場合には，運転制御が行われた前後での電路に流れる電流の変化量が測定され，予め記憶されていた電気機器Ａ８１の消費電流データと新たに測定された消費電流データとの平均値が演算手段１０４によって演算され，記憶データに修正して記憶される。これにより，機器制御装置の使用を続けていくことにより電気機器の消費電流データは平均化されることにより誤差などの寄与が低減し，正確な制御を行うことが可能となる。
【００８０】
さて，制御対象となる電気機器の制御順番が決まると，図９に示すように電路に流れる電流を監視する段階ステップＳ２０１に進む。電流監視部１１０から，通電電流に対応する信号（ＣＴに発生する誘導電流）が電流検出部１１１に入力され，演算手段１０２にに入力されると（ステップＳ２０２），演算手段１０２は，記憶部１０３に記憶されている所定のプログラムに基づき，前記監視電流レベルに対する通電電流の割合を演算する（ステップＳ２０３）。例えば監視電流レベルが２０Ａで，通電電流が１２Ａであった場合には，監視電流レベルに対する現在の通電電流の割合は６０％となる。
【００８１】
次に，演算手段１０２は，記憶部１０３に予め記憶された，電流使用の割合を予め所定の階級で区分けした区分データ，本実施例では，２０％未満，２０％以上４０％未満，４０％以上６０％未満，６０％以上８０％未満，８０％以上１００％未満，１００％以上１１０％未満，１１０％以上１２０％未満，１２０％以上１４０％未満，１４０％以上，の９区分が設定されているが，これらのなかから，ステップＳ２０３で求出した割合がどの区分に該当しているか演算を行い，該当する区分データを抽出する（ステップＳ２０４）。
【００８２】
例えば，
区分データ：０＝２０％未満
区分データ：１＝２０％以上４０％未満
区分データ：２＝４０％以上６０％未満
区分データ：３＝６０％以上８０％未満
区分データ：４＝８０％以上１００％未満
区分データ：５＝１００％以上１１０％未満
区分データ：６＝１１０％以上１２０％未満
区分データ：７＝１２０％以上１４０％未満
区分データ：８＝１４０％以上
というように区分データと割合の区分が対応付けられている。ステップＳ２０３で演算された割合が６０％であれば，該当する区分データは「３」ということになる。
【００８３】
次に演算手段１０２は，無線通信手段１１２に，ステップＳ２０４で得られた区分データ「３」を出力し（ステップＳ２０５），無線通信手段は報知部１１３に向けて所定のヘッダー情報と共に区分データを無線発信する。
【００８４】
また，設定電流に対して１００％を超えて電流が使用される場合，電力分電盤に設けられている遮断器や電流制限器の動作により住戸内が全停電になることを防止するために，それらが動作する可能性がある電流使用の領域については，機器監視制御システム１に接続された電気機器への電源供給の制御を行う。
【００８５】
ステップＳ２０３で演算された電流使用の割合が，１１０％以上１２０％未満の場合には，４５秒で機器監視制御システム１に接続された電気機器への電源供給を停止する。具体的には，演算手段１０２により区分データが「６」である秒数をカウントし，１０秒ごとに「電気を使い過ぎていること」を報知部１１３に報知させる（詳細は後述する）。そして，４０秒経過後「まもなく電源の供給を停止すること」を同じく報知部１１３に報知させ，４５秒経過後に電源の供給を停止し「電源の供給を停止したこと」を報知させる。なお，１００％以上１１０％未満の場合には，１８０秒ごとに報知部１１３から「電気を使い過ぎていること」を報知させることのみ行う。これは配線保護の目的で遮断器が動作するまでに数十分から数時間を要する場合がある電流使用領域であるため，利用者には電気を使い過ぎていることを報知し電気の使用を抑えることを促すことのみを行っている。
【００８６】
次に，ステップＳ２０３で演算された電流使用の割合が，１２０％以上１４０％未満の場合には，１５秒で機器監視制御システム１に接続された電気機器への電源供給を停止する。具体的には，演算手段１０２により区分データが「７」である秒数をカウントし，５秒ごとに「電気を使い過ぎているいること」を報知部１１３に報知させる（詳細は後述する）。そして，１０秒経過後「まもなく電源の供給を停止すること」を同じく報知部１１３に報知させ，１５秒経過後に電源の供給を停止し「電源の供給を停止したこと」を報知させる。なお，これらの報知に際する待ち時間や，停止させるまでの待ち時間は適宜変更してもよい。
【００８７】
次に，ステップＳ２０３で演算された電流使用の割合が，１４０％以上の場合には，配線保護のため遮断器の動作開始時間が早く行われるため，時事前の報知なしに２秒経過後電源の供給を停止し，「電源の供給を停止したこと」を報知させる。
【００８８】
なお，電流監視部１１０は電力分電盤内の電路（主開閉器の二次側）を貫通するように装着されているが，住戸内で使用する電流が設定電流に対してどの程度の使用割合であるかを掌握する目的で，特定の分岐開閉器の二次側に取付けて使用してもよい。
【００８９】
また，監視対象の電路を，主開閉器側の電路から，分岐開閉器側の電路に変更する場合には，分割型ＣＴの取外し装着と併せて，監視電流レベル設定手段のロータリースイッチを分岐開閉器の定格電流に見合った電流値に設定することが必要である。例えば主開閉器は通常６０Ａ程度の定格電流であるが，分岐開閉器は主開閉器よりも小さな電流，例えば２０Ａ程度の定格電流となっていることが多いからである。
【００９０】
次に，機器監視制御システム１による電気機器の制御が行われる段階について図１０から図１３を用いて説明する。特に，電気機器の運転の停止と開始に関する流れについて説明を行う。
【００９１】
なお，ここでは制御対象とする電気機器は４台あり，電路に流れる電流を低減させる方向に電気機器の運転開始の制御を行う場合には，制御の順番が早いほうから，
電気機器Ｄ８４（１２Ａ）
電気機器Ａ８１（１０Ａ）
電気機器Ｃ８３（  ６Ａ）
電気機器Ｂ８２（  ３Ａ）
とし，
電路に流れる電流を増加させる方向に電気機器の運転開始の制御を行う場合には，制御の順番が早いほうから，
電気機器Ｂ８２（  ５Ａ）
電気機器Ａ８１（１０Ａ）
電気機器Ｃ８３（１２Ａ）
電気機器Ｄ８４（１５Ａ）
となるように運転の制御を行うこととする。また，分電盤には電流制限器が設けられている場合について説明を行う。
【００９２】
始めに，機器監視制御システム１が電流監視を開始すると（ステップＳ３０１），演算手段は割合が１００％を超えているかどうかを演算し（ステップＳ３０２），超えている場合には，所定時間待機し（ステップＳ３０３），超えていない場合にはステップＳ３０１に戻って処理を続ける。所定時間待機を行う目的は，瞬間的ではなく，所定時間継続して１００％を超えているかどうかを判断させ，誤った制御を防止するためである。なお，所定時間については前述したように，１００％以上の割合の大きさに応じて１２０％未満の場合には４５秒，１２０％以上１４０％未満の場合には１５秒，１４０％以上の場合には２秒となるように予め設定されている。
【００９３】
所定時間待機後，さらに割合が１００％を超えているかどうか演算し（ステップＳ３０４），超えている場合には，電路に流れる電流を低減させる方向に電気機器の制御を行う場合の制御の順番が早い電気機器の運転を停止させる（ステップＳ３０５）。なお電気機器の運転を停止させた際に電路に流れる電流の変化を計測し（ステップＳ３０５１），運転停止に伴う消費電流データとして記憶手段に記憶する。
【００９４】
次に，割合が１００％を超えているか演算し（ステップＳ３０６），超えていない場合には，復帰電流以下であるか演算を行い（ステップＳ３０７），１００％を超えている場合には，ステップＳ４０１（後述する）に進む。なお，復帰電流は予め定められたものであり，監視設定電流に対して余裕を持たせた値にしており，運転を停止制御したあとに，再び運転を開始させる際の指標となるものである。
【００９５】
ここで，簡単に復帰電流について説明を行っておく。割合が１００％を下回り，さらに予め設定した復帰電流を下回り，そのまま６０秒が経過した場合には，運転を停止させた電気機器を復帰する。復帰電流の大きさは，設定電流の大きさに応じて，
２０Ａの設定電流の場合には１０Ａ，
３０Ａの設定電流の場合には２１Ａ，
４０Ａの設定電流の場合には３２Ａ，
５０Ａの設定電流の場合には４２Ａ，
６０Ａの設定電流の場合には５２Ａ，
として定められている。
【００９６】
さて，ステップＳ３０７で，電路に流れる電流が復帰電流を下回っていた場合には，所定時間待機し（ステップＳ３０８），該所定時間経った後に，再び復帰電流を下回っているか演算を行い（ステップＳ３０９），復帰電流を下回っていた場合には，制御順番が１番目の電気機器（即ちステップＳ３０５で運転を停止した電気機器）の運転を開始するよう制御を行う（ステップＳ３１０）。また，このとき，電気機器の運転を開始させた際に電路に流れる電流の変化を計測し（ステップＳ３１０１），運転開始に伴う消費電流データとして記憶手段に記憶する。そして，制御順番が１番目の電気機器の運転を開始するよう制御を行ったあとは，ステップＳ３０１に戻り電流監視を続ける。
【００９７】
さて，ステップＳ３０６で，割合が１００％を超えていた場合には，ステップＳ４０１に進み，制御順番が２番目の電気機器の制御準備段階に入る。
【００９８】
ステップＳ３０６で，割合が１００％を超えていた場合には，所定時間待機し（ステップＳ４０１），該所定時間待機後，割合が１００％を超えているかどうか演算し（ステップＳ４０２），超えている場合には，電路に流れる電流を低減させる方向に電気機器の制御を行う場合の制御の順番が２番目の電気機器の運転を停止させる（ステップＳ４０３）。なお電気機器の運転を停止させた際に電路に流れる電流の変化を計測し（ステップＳ４０３１），運転停止に伴う消費電流データとして記憶手段に記憶する。ステップＳ４０２で割合が１００％を超えていない場合には，ステップＳ３０７に進み，復帰電流以下であるか演算を行う。
【００９９】
次に，割合が１００％を超えているか演算し（ステップＳ４０４），超えていない場合には，復帰電流以下であるか演算を行い（ステップＳ４０５），１００％を超えている場合には，ステップＳ５０１（後述する）に進む。復帰電流については前述したとおりである。
【０１００】
さて，ステップＳ４０５で，電路に流れる電流が復帰電流を下回っていた場合には，所定時間待機し（ステップＳ４０６），該所定時間経った後に，再び復帰電流を下回っているか演算を行い（ステップＳ４０７），復帰電流を下回っていた場合には，制御順番が１番目と２番目の電気機器の運転開始時の制御順番データを比較演算し（ステップＳ４０８），制御順番が１番目と２番目の電気機器のうち，運転開始時の制御順番データが早い電気機器の運転を開始制御する（ステップＳ４０９）。ここで，運転を停止する場合の電気機器の制御順番と，運転を開始する場合の電気機器の制御順番は，図１０６に示されたとおり必ずしも一致はしないものである。
【０１０１】
次に，割合が１００％を超えているか演算し（ステップＳ４１０），超えていない場合には所定時間待機し（ステップＳ４１１），超えている場合には，ステップＳ４０１に戻って処理を続ける。
【０１０２】
ステップ４１１で所定時間待機した後は，電路に流れる電流が，復帰電流以下であるか演算し（ステップＳ４１２），復帰電流以下である場合には，もう一方の電気機器の運転を開始するステップ（ステップＳ３１０）に進み，復帰電流以下でない場合には割合を演算するステップ（ステップＳ４１０）に戻って処理を続ける。
【０１０３】
さて，ステップＳ４０４で，割合が１００％を超えていた場合には，ステップＳ５０１に進み，制御順番が３番目の電気機器の制御準備段階に入る。
【０１０４】
ステップＳ４０４で，割合が１００％を超えていた場合には，所定時間待機し（ステップＳ５０１），該所定時間待機後，割合が１００％を超えているかどうか演算し（ステップＳ５０２），超えている場合には，電路に流れる電流を低減させる方向に電気機器の制御を行う場合の制御の順番が３番目の電気機器の運転を停止させる（ステップＳ５０３）。なお電気機器の運転を停止させた際に電路に流れる電流の変化を計測し（ステップＳ５０３１），運転停止に伴う消費電流データとして記憶手段に記憶する。ステップＳ５０２で割合が１００％を超えていない場合には，ステップＳ４０５に進み，復帰電流以下であるか演算を行う。
【０１０５】
次に，割合が１００％を超えているか演算し（ステップＳ５０４），超えていない場合には，復帰電流以下であるか演算を行い（ステップＳ５０５），１００％を超えている場合には，ステップＳ６０１（後述する）に進む。復帰電流については前述したとおりである。
【０１０６】
さて，ステップＳ５０５で，電路に流れる電流が復帰電流を下回っていた場合には，所定時間待機し（ステップ５０６），該所定時間経った後に，再び復帰電流を下回っているか演算を行い（ステップＳ５０７），復帰電流を下回っていた場合には，
制御順番が１番目と２番目と３番目の電気機器の運転開始時の制御順番データを比較演算し（ステップＳ５０８），制御順番が１番目と２番目と３番目の電気機器のうち，運転開始時の制御順番データが早い電気機器の運転を開始制御する（ステップＳ５０９）。ここで，運転を停止する場合の電気機器の制御順番と，運転を開始する場合の電気機器の制御順番は，図１０６に示されたとおり必ずしも一致はしないものである。
【０１０７】
次に，割合が１００％を超えているか演算し（ステップＳ５１０），超えていない場合には所定時間待機し（ステップＳ５１１），超えている場合には，ステップＳ５０１に戻って処理を続ける。
【０１０８】
ステップＳ５１１で所定時間待機した後は，電路に流れる電流が，復帰電流以下であるか演算し（ステップＳ５１２），復帰電流以下である場合には，運転を停止制御している電気機器の運転を開始するステップ（ステップＳ４０９）に進み，復帰電流以下でない場合には割合を演算するステップ（ステップＳ５１０）に戻って処理を続ける。
【０１０９】
さて，ステップＳ５０４で，割合が１００％を超えていた場合には，所定時間待機し（ステップＳ６０１），該所定時間待機後，割合が１００％を超えているかどうか演算し（ステップＳ６０２），超えている場合には，電路に流れる電流を低減させる方向に電気機器の制御を行う場合の制御の順番が３番目の電気機器の運転を停止させる（ステップＳ６０３）。なお電気機器の運転を停止させた際に電路に流れる電流の変化を計測し（ステップＳ６０３１），運転停止に伴う消費電流データとして記憶手段に記憶する。ステップＳ６０２で割合が１００％を超えていない場合には，ステップＳ６０５に進み，復帰電流以下であるか演算を行う。
【０１１０】
次に，割合が１００％を超えているか演算し（ステップＳ６０４），超えていない場合には，復帰電流以下であるか演算を行い（ステップＳ６０５），１００％を超えている場合には，ステップＳ６０４１に進み所定時間待機する。所定時間待機した後は再びステップＳ６０４に戻り処理を続ける。ここで，ステップＳ６０４でなお割合が１００％を超えている場合には，機器制御装置は全ての制御可能な電気機器に対して運転を停止する制御を行っているため，利用者が手動にてその他の電気機器の運転を停止するなどして電路における電流の大きさを低減させる。割合が１００％を超えた状態が継続した場合には全停電が発生する可能性がある。また，復帰電流については前述したとおりである。
【０１１１】
さて，ステップＳ６０５で，電路に流れる電流が復帰電流を下回っていた場合には，所定時間待機し（ステップ６０６），該所定時間経った後に，再び復帰電流を下回っているか演算を行い（ステップＳ６０７），復帰電流を下回っていた場合には，制御順番が１番目と２番目と３番目と４番目の電気機器の運転開始時の制御順番データを比較演算し（ステップＳ６０８），制御順番が１番目と２番目と３番目と４番目の電気機器のうち，運転開始時の制御順番データが早い電気機器の運転を開始制御する（ステップＳ６０９）。ここで，運転を停止する場合の電気機器の制御順番と，運転を開始する場合の電気機器の制御順番は，図１０６に示されたとおり必ずしも一致はしないものである。
【０１１２】
次に，割合が１００％を超えているか演算し（ステップＳ６１０），超えていない場合には所定時間待機し（ステップＳ６１１），超えている場合には，ステップＳ６０１に戻って処理を続ける。
【０１１３】
ステップＳ６１１で所定時間待機した後は，電路に流れる電流が，復帰電流以下であるか演算し（ステップＳ６１２），復帰電流以下である場合には，運転を停止制御している電気機器の運転を開始するステップ（ステップＳ５０９）に進み，復帰電流以下でない場合には割合を演算するステップ（ステップＳ６１０）に戻って処理を続ける。
【０１１４】
このように制御することで，住戸内の全停電を防止しながらも，利用者にとって電気機器が使えないことによる不便さを極力低減できるような制御が可能である。
【０１１５】
次に報知部１１３について説明を行う。報知部１１３の働きを集約して説明すると，次のようになる。報知部１１３は，機器監視制御システム１本体からの無線信号（区分データ）をアンテナ部１１３９を介して無線送受信部１１３１で受信後，信号処理部１１３２で区分データに対応する所定の処理（表示部１１３３への表示や警報発生部１１３４への出力など）を行う（動作仕様については後述する）。
【０１１６】
表示部１１３３は複数のＬＥＤから成り，監視電流レベルに対する現在使用電流の割合（％）を段階的に発光表示し，あとどれぐらい電流を使えるかといった余裕情報を視覚的に表示する。本実施例では，該表示部７０３はＬＥＤを６個用いて，電流の使用状態を表示している。ＬＥＤをそれぞれＬ１，Ｌ２，Ｌ３，Ｌ４，Ｌ５，Ｌ６としたときに，
Ｌ１は通電電流の割合が２０％未満のときに点灯し，
Ｌ２は通電電流の割合が２０％以上４０％未満のときに点灯し，
Ｌ３は通電電流の割合が４０％以上６０％未満のときに点灯し，
Ｌ４は通電電流の割合が６０％以上８０％未満のときに点灯し，
Ｌ５は通電電流の割合が８０％以上１００％未満のときに点灯し，
Ｌ６は通電電流の割合が１００％以上のときに点灯するようになっている。
電流の使用量が大きくなるにつれて点灯の個数を段階的に増やし，レベル表示が行えるようになっている。
【０１１７】
警報発生部１１３４は，所定の警報（音・音声）を発生させるためのもので，小型のスピーカを用いている。監視電路における通電電流の割合に応じて信号処理部１１３２からの指示により音声警報を発生する。通電電流の割合が１００％以上である場合にはＬＥＤで発光表示を行うとともに，１００％超過の割合に応じて，音声発生部から「電気の使い過ぎです」，「まもなく電源を切ります」，「電源を切りました」，「電源を復帰しました」，「電気が使えます」などと報知が行われる。
【０１１８】
子機は，使用者の居場所に応じて，自由に持ち運びができるようにコンセントに差込み装着可能な電源プラグ１１３５を設けており，使用したいコンセントの場所で使用が行えるようにしている。またその際に，機器監視制御システム１から発信される無線信号を適切に受信できているか利用者が簡単に把握できるよう無線信号が到達しているかどうかを表示する手段が表示部１１３３のＬＥＤに設けられている。
【０１１９】
本実施例では，Ｌ１にこの機能を持たせてあり，Ｌ１は監視電流レベルに対する通電電流の割合が２０％未満の場合と，本体が動作していて，なおかつ無線信号を適切に受信できている場合には点灯するようになっている。すなわち，本体が正常に動作している間はこのＬＥＤは常に点灯状態となっている。
【０１２０】
信号処理部１１３２の処理により，受信感度が良好であるときにはＬＥＤを常時点灯としているが，受信感度が適切でない場合には，該ＬＥＤを点滅表示させることで，受信感度が良い状態ではないことを示す。すなわち，情報表示部１１３３のＬＥＤのうち，一番下側のＬＥＤが点滅表示している場合には無線信号が受信できていないことを意味する。
【０１２１】
使用に際し，報知部１１３の一番下側のＬＥＤが連続点灯していれば，機器監視制御システム１からの無線信号が良好に受信できていることが容易に視認できる機能を持たせている。点滅している場合には，ＬＥＤが連続点灯するように無線信号が適切に受信できるコンセントへ移動させて用いる。
【０１２２】
次に，表示部１１３３のＬＥＤ，及び警報発生部（スピーカ部）１１３４の動作について説明を行う。
【０１２３】
信号処理部１１３２は機器監視制御システム１から受信した区分データに応じて，それぞれ以下に示すようにＬＥＤの点灯消灯の制御を行う。
【０１２４】
区分データ０を受信した場合には，Ｌ１のみ点灯を行う。これは割合が２０％未満であることを示す。
区分データ１を受信した場合には，Ｌ１とＬ２の点灯を行う。これは割合が２０％以上４０％未満であることを示す。
区分データ２を受信した場合には，Ｌ１とＬ２とＬ３の点灯を行う。これは割合が４０％以上６０％未満であることを示す。
区分データ３を受信した場合には，Ｌ１とＬ２とＬ３とＬ４の点灯を行う。これは割合が６０％以上８０％未満であることを示す。
区分データ４を受信した場合には，Ｌ１とＬ２とＬ３とＬ４とＬ５の点灯を行う。これは割合が８０％以上１００％未満であることを示す。
区分データ５を受信した場合には，Ｌ１とＬ２とＬ３とＬ４とＬ５とＬ６全ての点灯を行う。またこの場合は，割合が１００％以上１１０％未満の場合である。
区分データ６を受信した場合には，Ｌ１とＬ２とＬ３とＬ４とＬ５とＬ６全ての点灯を行う。またこの場合は，割合が１１０％以上１２０％未満の場合である。
区分データ７及び８を受信した場合には，Ｌ１とＬ２とＬ３とＬ４とＬ５とＬ６全ての点灯を行う。またこの場合は，割合が１２０％以上の場合である。
【０１２５】
また，区分データ４以下を受信した場合，即ち割合が１００％未満では信号処理部１１３２は警報発生部１１３４への制御を行わない。区分データ５以上を受信した場合，即ち割合が１００％以上である場合には警報発生部１１３４に制御を行い警報を発生する。
【０１２６】
次に，割合が１００％以上の場合について説明を行う。
【０１２７】
割合が１００％以上１１０％未満の場合には１８０秒間隔で警報発生の制御信号を送出し，「電気の使い過ぎです」と報知する。
【０１２８】
割合が１１０％以上１２０％未満の場合には１０秒間隔で警報発生の制御信号を送出し，「電気の使い過ぎです」と報知するとともに，４０秒経過後「まもなく電源を切ります」と報知し，４５秒経過後，ステップＳ３０５により電気機器の運転が停止された場合「電源を切りました」と報知する。また，ステップＳ４０３，Ｓ５０３，Ｓ６０３により電気機器の運転が停止された場合も同様に報知する。
【０１２９】
割合が１２０％以上１４０％未満の場合には５秒間隔で警報発生の制御信号を送出し「電気の使い過ぎです」と報知するとともに，１０秒経過後「まもなく電源を切ります」と報知し，１５秒経過後ステップＳ３０５により電気機器の運転が停止された場合「電源を切りました」と報知する。また，ステップＳ４０３，Ｓ５０３，Ｓ６０３により電気機器の運転が停止された場合も同様に報知する。
【０１３０】
割合が１４０％以上の場合には，２秒後にステップＳ３０５により電気機器の運転が停止された場合「電源を切りました」と報知する。また，ステップＳ４０３，Ｓ５０３，Ｓ６０３により電気機器の運転が停止された場合も同様に報知する。
【０１３１】
以上のように，信号処理部１１３２はＬＥＤの点灯制御や警報発生部１１３４の制御を行う。１００％より大きな電流の割合では，制御の区分を細かく分けているが，これは１００％以上の電流使用量では電路の開閉器が一定の時限を持って動作するためその時限内で使用電流を低減させることを目的としているためである。
【０１３２】
例えば開閉器は電流比率が１００％の場合には動作しないが，１２０％になると数分から数時間で動作し，２００％では数十秒から数分で動作を行う。電流比率が１００％を超えた状態で，さらに電気機器の使用が行われると開閉器の動作時間が急激に短くなるため，１００％を超えた状態では警報発生の頻度を多くして電気機器の使用の低減を促し，全停電を防止する目的で機器監視制御システム１により所定の電気機器に対して電源の供給が停止される。
【０１３３】
また，所定の電気機器への電源供給を停止した場合には，そのことを電子メールでインターネット網を介して送信するようプログラムを設けているため，利用者が報知部１１３の報知が認知できない場所にいる場合や外出しているような場合でも，住戸内の状態に変化があったことを有効に認知することができる。
【０１３４】
なお，報知部１１３は複数台使用することが可能である。報知部１１３を複数台利用する場合にあたっては，機器監視制御システム１から送信される区分データを受信することができれば，通電電流の情報が表示・警報できるため，報知部１１３は，その無線仕様が同一のものを追加するだけでよい。
【０１３５】
通常，無線通信を行う場合，送信元からみて受信先（クライアント）が複数ある場合において，受信先の識別を行う場合には無線データには識別ＩＤなどを含める必要がある。そのため，通信プロトコルが煩雑になり，転送データ量も増加するため混信防止の対応を行うなどコストの増加につながる。
【０１３６】
また，受信先には，種々の識別ＩＤが重複しないように予めソフトウエア的・ハードウエア的に設定する必要が生じ，コストの増加につながる。
【０１３７】
しかしながら，本機器監視制御システム１においては，該機器監視制御システム１からは特定の区分データを送信し，しかも周囲に向けてブロードキャストするために，簡易な通信プロトコルで，転送データ量も少なく，複数台の報知部１１３の識別を行うことなく，無線通信が可能である。そのため，子機においても種々のＩＤを設定する必要なく，同一の仕様のものを追加するだけで，本電流監視装置に適用することができる。ただし，アパートやマンションなどの集合住宅などで使用する際には，近隣との区別を行うために，無線チャンネルの変更は必要である。
【０１３８】
報知部１１３を複数台設置し，予め使用者が移動する場所に設置しておくことで，使用者が部屋を移動する際に，その都度，報知部１１３をコンセントから取り外して持ち運ぶ手間を省くことができる。また，報知部１１３を移動する際に持ち忘れたりした場合でも，移動先で通電電流の情報の表示を確認でき，また，警報発声時には，その警報を聞き逃したりするおそれがなくなる。
【０１３９】
以上のように，本発明によれば，制御対象となる機器側には通信機能や監視を行う手段といった後付手段が不要で，コストの増大を抑えることができるとともに，機器監視制御システムを構築する際に複雑化せず容易に管理が可能で，さらにはインターネットを経由して当該システムにアクセスを行ったり，システムからの情報の取得を行い，電気を使いすぎた場合には所定の電気機器について効率よく停止するとともに，電気が使える状態になった場合には所定の電気機器について効率よく開始することができ，監視制御ならびに省エネ意識の高揚を行うことができる利便性の高い機器監視制御システムを提供することが可能となる。
【０１４０】
また，図４には本機器監視制御システムを住宅に適用した例を示しているが，各種センサからの情報取得や電気機器の自動制御に加えて，例えば玄関の呼鈴（チャイム）やインターホンと連動させて，来訪者があった場合に来訪者があったことのデータを機器監視制御システム１からインターネットに転送し，外出先のクライアント端末で，来訪者があったことを確認する機能を設けて構成してもよい。
【０１４１】
また，玄関先のチャイム等と接続され住居内に設けられるインターホンの親機と，機器監視制御システム１を連携させることにより，該インターホンの親機で得られる情報を機器監視制御システム１に伝送し，該機器監視制御システム１に設けられた演算手段により，音声データや映像データを，IPネットワークにおいて音声情報や呼制御のやり取りを行うための技術であるＶｏＩＰ（Voice over Internet Protocol）や，ITU-T(ITU Telecommunication Standardization Sector)により作成されている，音声や動画像を含むマルチメディア通信に関する標準規格であるH.300シリーズのなかのH.323，また，IETF(Internet Engineering Task Force)の内部組織であるmmusic WG(Multiparty Multimedia
Session Control Working Group)によって開発された，IPネットワークにおいて，複数のユーザーが同時に音声や映像を用いたマルチメディア通信を行うためのセッション部分の制御プロトコルであるSIP(Session Initiation Protocol)などを用いてインターネット網に伝送するために適した形式に変換を行い通信を行うことにより，インターネット側のクライアント端末で来訪者との会話や映像を閲覧することが可能となり，より便利な機器監視制御システムを提供することができる。
【０１４２】
なお，インターホンの親機と機器監視制御システムとの間は，例えば２線式の通信線により接続してもよいし，インターホンの親機がＬＡＮに接続できる場合には，ルーターを介して，機器監視制御システムと接続し，得られたデータの通信を行ってもよい。
【０１４３】
また，インターホンの親機にデータ等表示手段及び操作手段を設けて，該親機から機器監視制御システムの種々設定を行ったり，各種センサの状態の閲覧や電気機器の制御を行うように設けてもよい。
【０１４４】
本機器監視制御システム１に接続する機器やセンサーなどについては実施例に記載されたもの以外にも，ＨＡ端子，接点入力端子，電気機器接続端子各々に対する入力，制御条件を満たしているものであれば使用することが可能であり，記載した機器やセンサーに限定されるものではないことを付記しておく。
【産業上の利用可能性】
【０１４５】
本発明は，制御対象となる機器側には通信機能や監視を行う手段といった後付手段が不要で，コストの増大を抑えることができるとともに，機器監視制御システムを構築する際に複雑化せず容易に管理が可能で，さらにはインターネットを経由して当該システムにアクセスを行ったり，システムからの情報の取得を行い，電気を使いすぎた場合には所定の電気機器について効率よく停止するとともに，電気が使える状態になった場合には所定の電気機器について効率よく開始し，監視制御ならびに省エネ意識の高揚を行うことができる利便性の高い機器監視制御システムであるので，遠隔地の工場倉庫などの人が不在がちであるような場所における監視制御システムとして利用できる可能性がある。
【図面の簡単な説明】
【０１４６】
【図１】本発明の実施の形態に係る機器監視制御システムのネットワーク接続図である。
【図２】機器監視制御システムを表すブロック構成図である。
【図３】報知部を表すブロック構成図である。
【図４】機器監視制御システムを住戸内に設けたブロック構成図である。
【図５】クライアント端末とウエブサーバーとの動作ステップを示すフローチャートである。
【図６】カメラの動作と報知の動作ステップを示したフローチャートである。
【図７】センサの動作と報知の動作ステップを示したフローチャートである。
【図８】電気機器の消費電流データを収集するステップを示したフローチャートである。
【図９】電流監視の動作ステップを示したフローチャートである。
【図１０】電気機器の制御を行うステップを示したフローチャートである。
【図１１】電気機器の制御を行うステップを示したフローチャートである。
【図１２】電気機器の制御を行うステップを示したフローチャートである。
【図１３】電気機器の制御を行うステップを示したフローチャートである。
【図１４】従来の監視制御システムを示す図である。
【図１５】電気機器と消費電流，ならびに制御を行う順番との対応データを示す図である。
【図１６】仮の制御順番が定められた記憶データを示す図である。
【図１７】電気機器に対する消費電流データを示す図である。
【図１８】制御順番の早い順に電気機器を並び替えた図である。
【図１９】電気機器と，運転の開始に伴う電路における電流の変化量と，運転の停止に伴う電流の変化量，ならびに制御順番を記憶した記憶データを示した図である。
【図２０】制御の順番を固定する項目を設けた記憶データを示した図である。
【符号の説明】
【０１４７】
１  機器監視制御システム
１０１  通信手段
１０２  演算手段
１０３  記憶部
１０４  ＨＡ端子
１０５  アナログ入力端子
１０５’  デジタル入力端子
１０６  リレー
１０７  接続端子
１０８  動作状態確認部
１０９  電源入力部
１０９’  端末内直流電源
１１０  電流監視部
１１１  電流検出部
１１２  無線通信手段
１１３  報知部
１１３１  無線送受信部
１１３２  信号処理部
１１３３  表示部
１１３４  警報発生部（スピーカ部）
１１３５  プラグ部
１１３６  コンセント部
１１３７  伝導体
１１３８  電源部
１１３９  アンテナ部
２  ネットワーク
３  クライアント端末
４  モデム
５  ルーター
６  ネットワークカメラ
７  センサ
８  電気機器
９  センサ
【図１】
0004713252.tif 000002
【図２】
0004713252.tif 000003
【図３】
0004713252.tif 000004
【図４】
0004713252.tif 000005
【図５】
0004713252.tif 000006
【図６】
0004713252.tif 000007
【図７】
0004713252.tif 000008
【図８】
0004713252.tif 000009
【図９】
0004713252.tif 000010
【図１０】
0004713252.tif 000011
【図１１】
0004713252.tif 000012
【図１２】
0004713252.tif 000013
【図１３】
0004713252.tif 000014
【図１４】
0004713252.tif 000015
【図１５】
0004713252.tif 000016
【図１６】
0004713252.tif 000017
【図１７】
0004713252.tif 000018
【図１８】
0004713252.tif 000019
【図１９】
0004713252.tif 000020
【図２０】
0004713252.tif 000021